(57)【特許請求の範囲】
【請求項１】
外周に多数の羽根が形成され、内周にローターマグネットが設けられたリング状羽根車と、
前記ローターマグネットの内周側に設けられたモーターステーターと、
吸込口と吐出口が形成され内部に前記リング状羽根車を収容するとともに、前記モーターステーターと前記ローターマグネットの間に配設するための円筒部が形成されたポンプケーシングとを備え、
前記円筒部が前記リング状羽根車を回転自在に軸支したことを特徴とする超薄型ポンプ。
【請求項２】
前記ポンプケーシングの回転軸方向の厚さが３〜１５ｍｍ、半径方向の代表寸法が１０〜７０ｍｍであることを特徴とする請求項１に記載の超薄型ポンプ。
【請求項３】
前記リング状羽根車の内周または前記ポンプケーシングの円筒部に複数の突起を設けたことを特徴とする請求項１に記載の超薄型ポンプ。
【請求項４】
前記リング状羽根車の側面のスラスト荷重を受けるスラスト板が前記ポンプケーシングに設けられたことを特徴とする請求項１〜３のいずれかに記載の超薄型ポンプ。
【請求項５】
前記リング状羽根車の側面または前記ポンプケーシングのスラスト板に複数の突起を設けたことを特徴とする請求項４に記載の超薄型ポンプ。
【請求項６】
前記リング状羽根車の側面のスラスト荷重を受けるスラスト磁気軸受けが、前記ローターマグネットと前記モーターステーターとで構成されたことを特徴とする請求項１〜３のいずれかに記載の超薄型ポンプ。
【請求項７】
前記リング状羽根車の少なくともローターマグネット及び羽根が磁性樹脂材で一体に構成されたことを特徴とする請求項１〜６のいずれかに記載の超薄型ポンプ。
【請求項８】
ポンプが渦流ポンプであることを特徴とする請求項１〜７のいずれかに記載の超薄型ポンプ。
【請求項９】
冷媒により熱交換を行なって発熱部品を冷却する冷却器と、該冷媒から熱を取り除くための放熱器とを備え、前記冷媒を循環させるために請求項１〜８のいずれかに記載の超薄型ポンプが配設されたことを特徴とする冷却システム。
【請求項１０】
請求項９記載の冷却システムであって、小型パーソナルコンピューターの電子部品を冷却することを特徴とする冷却システム。
【請求項１１】
前記冷媒が不凍液であることを特徴とする請求項９〜１０のいずれかに記載の冷却システム。
【請求項１２】
前記不凍液がフッ素系不活性液体であることを特徴とする請求項１１記載の冷却システム。
【発明の詳細な説明】
【０００１】
【発明の属する技術分野】
本発明は超薄型ポンプとこれを備えた冷却システム等に関するものである。
【０００２】
【従来の技術】
近年、ＣＰＵ等の電子部品を効率良く冷却する冷却システムが望まれており、これに対応する冷却方法として冷媒を循環させて冷却する冷媒式冷却システムが注目されてきている。このような冷却システムの冷媒循環用ポンプは、電子部品自体にコンパクトさが求められるため、搭載スペースに多くの制約が課せられ、小型、薄型化が強く求められている。
【０００３】
以下、従来の小型遠心ポンプについて図６に示す、従来の小型遠心ポンプの構造図を用いて説明する（例えば、特許文献１参照）。１０１は羽根車、１０２はこの羽根車１０１を回転自在に支承する固定軸、１０３は固定軸１０２の端部を固定し、羽根車１０１を収納すると同時に羽根車１０１が流体に与えた運動エネルギーを圧力回復して吐出口へと導くためのポンプ室を有するポンプケーシング、１０４は羽根車１０１の一部をなす後面シュラウド、１０５は同じく羽根車１０１の一部をなし羽根車１０１の中央に吸水開口が形成された前面シュラウド、１０６は羽根車１０１の後面シュラウド１０４に固定されたローターマグネット、１０７はローターマグネット１０６の内周側に設けられたモーターステーター、１０８はローターマグネット１０６とモーターステーター１０７の間に設けられポンプ室を密閉するための防水隔壁、１０９は吸込口、１１０は吐出口である。
【０００４】
この従来の遠心形ポンプの作用を説明すると、外部電源から電力を供給されると、遠心形ポンプに設けられた電気回路により制御された電流がモータステーター１０７のコイルに流れ、回転磁界が発生する。この回転磁界がローターマグネット１０６に作用するとローターマグネット１０６に物理力が発生する。ところで、このローターマグネット１０６は羽根車１０１に固定されており、羽根車１０１は固定軸１０２に回転自在に支承されているため、羽根車１０１に回転トルクが作用し、この回転トルクにより羽根車１０１が回転を始める。羽根車１０１の前面シュラウド１０５および後面シュラウド１０４の間に設けられた羽根は、羽根車１０１の回転によって流体に運動量変化を与え、吸込口１０９から流入する流体は運動エネルギーを羽根車１０１から受取ることになる。もちろん、羽根車１０１内で羽根出口へ向けて流路面積が拡大しているのであれば、羽根車１０１内で一部圧力回復されることになる。羽根車１０１の羽根出口から流出した流体は、ポンプケーシング１０３に設けられたディフューザーで与えられた運動エネルギーを圧力回復することになり、吐出口１１０へと導かれる。このように、この従来の小型遠心ポンプではアウターローター方式で薄型羽根車を駆動することで、ポンプの小型、薄型化を図っている。
【０００５】
【特許文献１】
特開２００１−１３２６９９号公報
【０００６】
【発明が解決しようとする課題】
しかしながら、このような従来の小型遠心ポンプでは、流体を羽根車中央の吸水開口に供給させるためポンプ室には軸方向の吸込部が必要となるため、ポンプ全体の回転軸方向の長さを小さくする目的、即ち、薄型化に対して限界が存在する構成であった。
【０００７】
また、遠心ポンプの外にも、半径方向から吸込み、半径方向に吐き出す構造を備え、薄型化に適した渦流ポンプ（摩擦ポンプあるいは再生ポンプとも呼称される。以下、渦流ポンプという。）も公知であるが、ポンプを渦流ポンプにしたとしても、羽根車は中央の固定軸と連結されるため円盤状となりその上下にポンプ室を密封するための防水隔壁が必要で回転軸方向においてモーターステーターと防水隔壁および羽根車が重なるため、薄型化するのには限界があった。
【０００８】
そこで、本発明は、超薄型化が実現でき、構造が簡単であるとともに低コストの超薄型ポンプを提供することを目的とする。
【０００９】
また、本発明は、冷却システム全体の構成を薄くでき、効率の良い冷却を実現できる冷却システムを提供することを目的とする。
【００１０】
【課題を解決するための手段】
この課題を解決するために、本発明の超薄型ポンプは、外周に多数の羽根が形成され、内周にローターマグネットが設けられたリング状羽根車と、ローターマグネットの内周側に設けられたモーターステーターと、吸込口と吐出口が形成され内部にリング状羽根車を収容するとともに、モーターステーターとローターマグネットの間に配設するための円筒部が形成されたポンプケーシングとを備え、円筒部がリング状羽根車を回転自在に軸支したことを特徴とする。
【００１１】
これにより、超薄型化が実現でき、構造が簡単であるとともに低コストの超薄型ポンプを提供できる。
【００１２】
また、本発明の冷却システムは、冷媒により熱交換を行なって発熱部品を冷却する冷却器と、該冷媒から熱を取り除くための放熱器とを備え、冷媒を循環させるために超薄型ポンプが配設されたことを特徴とする。
【００１３】
これにより、冷却システム全体の構成を薄くでき、効率の良い冷却を実現できる冷却システムを提供することができる。
【００１４】
【発明の実施の形態】
本発明の請求項１に記載の発明は、外周に多数の羽根が形成され、内周にローターマグネットが設けられたリング状羽根車と、ローターマグネットの内周側に設けられたモーターステーターと、吸込口と吐出口が形成され内部にリング状羽根車を収容するとともに、モーターステーターとローターマグネットの間に配設するための円筒部が形成されたポンプケーシングとを備え、円筒部がリング状羽根車を回転自在に軸支したことを特徴とする超薄型ポンプであるから、羽根とローターマグネットおよび回転軸を一体化してリング状に形成しその中にモーターステーターを挿入することでポンプ全体の回転軸方向の長さを極力小さくでき、ポンプの超薄型化が可能となるという作用を有する。また、羽根、ローターマグネット、回転軸を一体化することで、構造が簡単で低コスト化が実現できるという作用を有する。
【００１５】
本発明の請求項２に記載の発明は、リング状羽根車の内周またはポンプケーシングの円筒部に複数の突起を設けたことを特徴とする請求項１に記載の超薄型ポンプであるから、羽根車の回転による羽根車内周とポンプケーシング円筒部の摺動を突起部で受けることで摺動面積を減らし摩擦部を少なくできるため、ポンプの高効率化、超寿命化が可能になるという作用を有する。
【００１６】
本発明の請求項３に記載の発明は、リング状羽根車の側面のスラスト荷重を受けるスラスト板がポンプケーシングに設けられたことを特徴とする請求項１または２に記載の超薄型ポンプであるから、スラスト板でスラスト荷重を受けることで、ポンプの負荷変動やポンプ自体の設置状態によりスラスト荷重が変化してもポンプを安定して運転できるという作用を有する。
【００１７】
本発明の請求項４に記載の発明は、リング状羽根車の側面またはポンプケーシングのスラスト板に複数の突起を設けたことを特徴とする請求項３に記載の超薄型ポンプであるから、羽根車の回転による羽根車側面とポンプケーシングのスラスト板の摺動を突起部で受けることで摺動面積を減らし摩擦部を少なくできるため、ポンプの高効率化、超寿命化が可能になるという作用を有する。
【００１８】
本発明の請求項５に記載の発明は、リング状羽根車の側面のスラスト荷重を受けるスラスト磁気軸受けが、ローターマグネットとモーターステーターとで構成されたことを特徴とする請求項１または２に記載の超薄型ポンプであるから、スラスト荷重を磁気軸受けで受けることで、羽根車の側面をポンプケーシングと非接触で回転させることができ摩擦部を少なくできるため、さらなるポンプの高効率化、超寿命化が可能になるという作用を有する。
【００１９】
本発明の請求項６に記載の発明は、リング状羽根車の少なくともローターマグネット及び羽根が磁性樹脂材で一体に構成されたことを特徴とする請求項１〜５のいずれかに記載の超薄型ポンプであるから、羽根車を磁性樹脂材で構成してローターマグネットと羽根を一体化することで、構造が簡単で低コスト化が実現できるとともにマグネット部を大きくできるのでモーター性能、即ちポンプ性能を向上できるという作用を有する。
【００２０】
本発明の請求項７に記載の発明は、ポンプが渦流ポンプであることを特徴とする請求項１〜６のいずれかに記載の超薄型ポンプであるから、ポンプを高揚程が可能で気泡の排出能力の高い渦流ポンプにすることで、管路抵抗の大きい循環系でも必要流量を確保できるとともに、流入した気泡を滞留させることなく連続的に排出できるという作用を有する。
【００２１】
本発明の請求項８に記載の発明は、冷媒により熱交換を行なって発熱部品を冷却する冷却器と、該冷媒から熱を取り除くための放熱器とを備え、冷媒を循環させるために請求項１〜７のいずれかに記載の超薄型ポンプが配設されたことを特徴とする冷却システムであるから、超薄型ポンプを用いることでシステム全体の薄型化が可能になるという作用を有する。
【００２２】
本発明の請求項９に記載の発明は、請求項８記載の冷却システムであって、小型パーソナルコンピューターの電子部品を冷却することを特徴とする冷却システムであるから、超薄型ポンプを用いることで製品の薄型化を達成しながら効率の良い冷却を実現できるという作用を有する。
【００２３】
本発明の請求項１０に記載の発明は、冷媒が不凍液であることを特徴とする請求項８〜９のいずれかに記載の冷却システムであるから、冷媒を不凍液にすることで、寒冷地においても冷媒が凍結して冷却システムが故障することを防止できるという作用を有する。
【００２４】
本発明の請求項１１に記載の発明は、不凍液がフッ素系不活性液体であることを特徴とする請求項１０に記載の冷却システムであるから、冷媒をフッ素系不活性液体とすることで、万が一冷媒が漏れた場合でも電子部品の故障を防ぐことが可能になるという作用を有する。
【００２５】
以下、本発明の実施の形態について、図１から図５を用いて説明する。
【００２６】
（実施の形態１）
図１は本発明の実施の形態１における超薄型ポンプの側面の断面図、図２は本発明の実施の形態１における超薄型ポンプを回転軸方向から見た断面図、図３は本発明の実施の形態１における超薄型ポンプの分解斜視図である。
【００２７】
図１〜３に示すように、１はリング状羽根車であり、外周に多数の羽根２が形成され、内周にローターマグネット３が設けられている。実施の形態１の羽根２は上述した過流ポンプの羽根であり、こういった点からは実施の形態１のポンプは基本的には超薄型の過流ポンプということができる。ただ、ターボ型等、これに限られるものではない。なお、本明細書では、新しいタイプの羽根車で超薄型を実現したということから、これを超薄型ポンプという。ここでリング状羽根車１は、羽根２とローターマグネット３とを違う材料で構成してはめ合わせて一体化しても良いし、磁性樹脂材で構成して羽根２とローターマグネット３とを同一材料で一体化させてもよい。４はローターマグネット３の内周側に設けられたモーターステーターである。５は、リング状羽根車１を収容すると同時にリング状羽根車１が流体に与えた運動エネルギーを圧力回復して吐出口へと導くためのポンプ室を有するポンプケーシング、６は、ポンプケーシング５に含まれ、リング状羽根車１を収納した後ポンプ室を密閉するためのケーシングカバーである。ポンプケーシング５には、モーターステーター４とローターマグネット３の間に配設され、リング状羽根車１を回転自在に軸支するための円筒部７が形成されるとともに、リング状羽根車１の側面のスラスト荷重を受けるためのスラスト板８が形成されている。スラスト板８はケーシングカバー６側にも形成されている。９は吸込口、１０は吐出口である。
【００２８】
次に、本実施の形態１の超薄型ポンプの作用を説明すると、外部電源から電力を供給されると、超薄型ポンプに設けられた電気回路により制御された電流がモーターステーター４のコイルに流れ、回転磁界が発生する。この回転磁界がローターマグネット３に作用するとローターマグネット３に物理力が発生する。ところで、このローターマグネット３はリング状羽根車１と一体化されており、リング状羽根車１はポンプケーシング５の円筒部７に回転自在に軸支されているため、リング状羽根車１に回転トルクが作用し、この回転トルクによりリング状羽根車１が回転を始める。リング状羽根車１の外周に設けられた羽根２はリング状羽根車１の回転によって吸込口９から流入した流体に運動エネルギーを与え、その運動エネルギーによりポンプケーシング５内の流体の圧力が徐々に高められ吐出口１０から吐き出される。また、ポンプの負荷変動やポンプ自体の設置状態によりスラスト荷重が変化してもスラスト板８でリング状羽根車１のスラスト荷重を受けることができるため、ポンプは安定して運転される。
【００２９】
以上説明したように本実施の形態によれば、羽根２とローターマグネット３および回転軸とを一体化してリング状羽根車１を形成し、さらに円筒部７に軸支作用とシールレスポンプの分離板の作用をさせるから、その中にモーターステーター４を挿入することでポンプ全体の回転軸方向の長さを極力小さくでき、ポンプの超薄型化が可能となる。具体的には、本実施の形態１のポンプ７は回転軸方向の厚さが５〜１０ｍｍ、半径方向の代表寸法が４０〜５０ｍｍ、回転数は１２００ｒｐｍ、流量が０．０８〜０．１２Ｌ／分、ヘッドが０．３５〜０．４５ｍ程度のポンプである。そして、本発明のポンプの諸元は、本実施の形態１の値を含んで、厚さ３〜１５ｍｍ、半径方向代表寸法１０〜７０ｍｍ、流量が０．０１〜０．５Ｌ／分、ヘッド０．１〜２ｍ程度のものとなる。これは比速度でいうと、２４〜２８（単位：ｍ、ｍ3／分、ｒｐｍ）程度のポンプであって、従来のポンプとはまったく隔絶した大きさの小型薄型のポンプである。また、羽根２、ローターマグネット３、回転軸を一体化することで、構造が簡単で低コスト化が実現できる。
【００３０】
また、スラスト板８でスラスト荷重を受けることで、ポンプの負荷変動やポンプ自体の設置状態によりスラスト荷重が変化してもポンプを安定して運転できる。そして、リング状羽根車１の側面のスラスト荷重をローターマグネット３とモーターステーター４との間の磁力で受けることで、スラスト磁気軸受けを構成させれば、スラスト荷重を磁気軸受けで受けるので、リング状羽根車１の側面をポンプケーシング５のスラスト板８と非接触で回転させることができ摩擦部を少なくできるため、さらなるポンプの高効率化、超寿命化が可能になる。
【００３１】
さらに、リング状羽根車１を磁性材料で構成してローターマグネット３及び羽根２とを一体化することで、構造が簡単で低コスト化が実現できるとともにマグネット部を大きくできるのでモーター性能、すなわちポンプ性能を向上できる。そして、ポンプを高揚程が可能で気泡の排出能力の高い渦流ポンプにすることで、管路抵抗の大きい循環系でも必要流量を確保できるとともに、流入した気泡を滞留させることなく連続的に排出できる。
【００３２】
（実施の形態２）
本発明の実施の形態２における超薄型ポンプについて図４に基づき説明する。図４は本発明の実施の形態２における超薄型ポンプの分解斜視図である。なお、実施の形態１と同一符号を付したものは同一の部材であるから、詳細な説明は実施の形態１に譲ってここでは省略する。
【００３３】
図４において、１１は実施の形態２のリング状羽根車であり、外周に多数の羽根２が形成され、内周にローターマグネット３が設けられている。そして、このリング状羽根車１１は、内周に複数の内周突起１２が設けられているとともに、両側面にも複数の側面突起１３が設けられている。ここで、リング状羽根車１１は、ローターマグネット３と羽根２および内周突起１２、側面突起１３を違う材料で構成してはめ合わせて一体化しても良いし、磁性樹脂材で構成してローターマグネット３と羽根２および内周突起１２、側面突起１３を同一材料で一体化させてもよい。また、内周突起１２および側面突起１３は摩擦係数が小さく耐磨耗性のよい材料で構成することが望ましい。４はモーターステーター、５はポンプケーシング、６はポンプ室を密閉するためのケーシングカバーである。ポンプケーシング５には円筒部７が形成されるとともに、リング状羽根車１１の側面のスラスト荷重を受けるためのスラスト板８が形成されている。スラスト板８はケーシングカバー６側にも形成されている。９は吸込口、１０は吐出口である。
【００３４】
次に、本実施の形態２の超薄型ポンプの作用を説明すると、外部電源から電力を供給されると、超薄型ポンプに設けられた電気回路により制御された電流がモーターステーター４のコイルに流れ、回転磁界が発生する。この回転磁界がローターマグネット３に作用するとローターマグネット３に物理力が発生する。ところで、このローターマグネット３はリング状羽根車１１と一体化されており、リング状羽根車１１はポンプケーシング５の円筒部７に回転自在に軸支されているため、リング状羽根車１１に回転トルクが作用し、この回転トルクによりリング状羽根車１１が回転を始める。リング状羽根車１１の外周に設けられた羽根２はリング状羽根車１１の回転によって吸込口９から流入した流体に運動エネルギーを与え、その運動エネルギーによりポンプケーシング５内の流体の圧力が徐々に高められ吐出口１０から吐き出される。
【００３５】
実施の形態２においては、リング状羽根車１１の回転による羽根車内周とポンプケーシング５の円筒部７の摺動摩擦を内周突起１２で受ける。このため摺動面積は小さく摩擦損失が少ない。また、ポンプの負荷変動やポンプ自体の設置状態によりスラスト荷重が変化してもスラスト板８でリング状羽根車１１のスラスト荷重を受けることができるため、ポンプは安定して運転される。そして、リング状羽根車１１の回転による羽根車側面とポンプケーシング５のスラスト板８の摺動は側面突起１３で受けるため、摺動面積は小さく摩擦損失も少ない。
【００３６】
以上説明したように本実施の形態２によれば、リング状羽根車１１の回転による羽根車内周とポンプケーシング５の円筒部７の摺動摩擦をを内周突起１２で受けることで摺動面積を減らし摩擦部を少なくできるため、ポンプの高効率化、超寿命化が可能になる。
【００３７】
また、リング状羽根車１１の回転による羽根車側面とポンプケーシング５のスラスト板８の摺動を側面突起１３で受けることで摺動面積を減らし摩擦部を少なくできるため、ポンプの高効率化、超寿命化が可能になる。
【００３８】
次に、本発明の実施の形態３における超薄型ポンプを備えた冷却システムについて図５に基づいて説明する。図５は本発明の実施の形態３における超薄型ポンプを備えた冷却システムの構成図である。
【００３９】
図５において、２１は基板２２に実装された発熱部品、２３は発熱部品２１と冷媒とで熱交換を行ない発熱部品２１を冷却する冷却器、２４は冷媒から熱を取り除く放熱器、２５は冷媒を貯めておくリザーブタンク、２６は冷媒を循環させる超薄型ポンプ、２７はこれらを接続する配管である。実施の形態３における超薄型ポンプを備えた冷却システムは、小型パーソナルコンピューターの中の発熱部品２１となる電子部品を冷却するためのものである。また、実施の形態３における超薄型ポンプ２６は実施の形態１または実施の形態２の超薄型ポンプである。本発明の超薄型ポンプであれば他の実施の形態のポンプでもよい。
【００４０】
実施の形態３の冷却システムの動作について説明すると、リザーブタンク２５内の冷媒は、超薄型ポンプ２６から吐出され、配管２７を通って冷却器２３に送られ、発熱部品２１の熱を奪うことでその温度が上昇して放熱器２４に送られ、放熱器２４で冷されてその温度が降下してリザーブタンク２５へ戻る。このように、超薄型ポンプ２６で冷媒を循環させて発熱部品２１を冷却するものである。これにより、小型パーソナルコンピューター等の電子部品は冷却され、安定して使用することができる。
【００４１】
以上説明したように本実施の形態３によれば、冷媒を循環させるために超薄型ポンプ２６を用いることでシステム全体の薄型化が可能になる。また、小型パーソナルコンピューターの電子部品を冷却するために本冷却システムを用いれば、製品の薄型化を達成しながら効率の良い冷却を実現できる。そして、冷媒を不凍液にすれば、寒冷地においても冷媒が凍結して冷却システムが故障することを防止できる。さらに、不凍液をフッ素系不活性液体にすれば、万が一冷媒が漏れた場合でも電子部品の故障を防ぐことが可能になる。
【００４２】
そして、超薄型ポンプ２６を高揚程が可能で気泡の排出能力の高い渦流ポンプにすることで、管路抵抗の大きい循環系でも必要流量を確保できるので、冷却器２３や放熱器２４を薄くできるし配管２７も小さくできるため冷却システムのさらなる小型化、薄型化が可能となる。また、配管内に空気が入ったとしても、超薄型ポンプ２６内に流入した気泡を滞留させることなく連続的にリザーブタンク２５側へ排出できるので、ポンプ性能、即ち、冷却性能を損なうことがない。
【００４３】
【発明の効果】
以上のように本発明によれば、羽根とローターマグネットおよび回転軸を一体化してリング状に形成しその中にモーターステーターを挿入することでポンプ全体の回転軸方向の長さを極力小さくでき、ポンプの超薄型化が可能となる。また、羽根、ローターマグネット、回転軸を一体化することで、構造が簡単で低コスト化を実現することができる。
【００４４】
また、羽根車の回転による羽根車内周とポンプケーシング円筒部の摺動摩擦を突起部で受けることで、摺動面積を減らし摩擦部を少なくできるため、ポンプの高効率化、超寿命化を可能にすることができる。そして、スラスト板でスラスト荷重を受けることで、ポンプの負荷変動やポンプ自体の設置状態によりスラスト荷重が変化してもポンプを安定して運転することができる。また、羽根車の回転による羽根車側面とポンプケーシングのスラスト板の摺動摩擦を突起部で受けることで摺動面積を減らし摩擦部を少なくできるため、ポンプの高効率化、超寿命化が可能になる。また、スラスト荷重を磁気軸受けで受けることで、羽根車の側面をポンプケーシングと非接触で回転させることができ摩擦部を少なくできるため、さらなるポンプの高効率化、超寿命化が可能になる。
【００４５】
さらに、羽根車を磁性樹脂材で構成してローターマグネットと羽根を一体化することで、構造が簡単で低コスト化が実現できるとともにマグネット部を大きくできるのでモーター性能、即ちポンプ性能を向上できるという有効な効果が得られる。
【００４６】
また、ポンプを高揚程が可能で気泡の排出能力の高い渦流ポンプにすることで、管路抵抗の大きい循環系でも必要流量を確保できるとともに、流入した気泡を滞留させることなく連続的に排出することができる。
【００４７】
さらに、冷媒を循環させるために超薄型ポンプを用いることで、システム全体の薄型化が可能になる。そして、超薄型ポンプを用いた冷却システムで小型パーソナルコンピューターの電子部品を冷却させれば、製品の薄型化を達成しながら効率の良い冷却を実現できる。また、冷却システムの冷媒を不凍液にすることで、寒冷地においても冷媒が凍結して冷却システムが故障することを防止できる。そして、冷却システムの冷媒をフッ素系不活性液体とすることで、万が一冷媒が漏れた場合でも電子部品の故障を防ぐことが可能になる。
【図面の簡単な説明】
【図１】本発明の実施の形態１における超薄型ポンプの側面の断面図
【図２】本発明の実施の形態１における超薄型ポンプを回転軸方向から見た断面図
【図３】本発明の実施の形態１における超薄型ポンプの分解斜視図
【図４】本発明の実施の形態２における超薄型ポンプの分解斜視図
【図５】本発明の実施の形態３における超薄型ポンプを備えた冷却システムの構成図
【図６】従来の小型遠心ポンプの構造図
【符号の説明】
１，１１  リング状羽根車
２  羽根
３  ローターマグネット
４  モーターステーター
５  ポンプケーシング
６  ケーシングカバー
７  円筒部
８  スラスト板
９  吸込口
１０  吐出口
１２  内周突起
１３  側面突起
２１  発熱部品
２２  基板
２３  冷却器
２４  放熱器
２５  リザーブタンク
２６  超薄型ポンプ
２７  配管
【図１】
0003741092.tif 000002
【図２】
0003741092.tif 000003
【図３】
0003741092.tif 000004
【図４】
0003741092.tif 000005
【図５】
0003741092.tif 000006
【図６】
0003741092.tif 000007